(57)【要約】  本発明によるポンプシステム（１０）は、メインポンプ（５０）に対して水を供給するための１つまたは複数のサテライトポンプ（６０）を具備している。本発明によるポンプシステムを使用すれば、長距離にわたって大量の水を供給することができる。システムは、輸送可能なコンテナ（１５）内に収容されている。サテライトポンプを使用することにより、様々な水源から水をポンピングすることができる。ポンプシステムにおいては、メインポンプを使用しても、使用しなくても、良い。システムは、１つのあるいは２つのあるいはそれ以上のサテライトポンプを具備することができる。ポンプシステムは、メインポンプを駆動するための第１エンジン（４０）と、サテライトポンプを駆動するための第２エンジン（６８）と、を備えることができる。
2008505701.tif 000002
【特許請求の範囲】
【請求項１】
システムであって、
メインポンプと；
このメインポンプを駆動するための第１エンジンと；
ホースを介して前記メインポンプに対して接続されたサテライトポンプであるとともに、水源内へと延出可能なものとして構成されたサテライトポンプと；
このサテライトポンプを駆動するための第２エンジンと；
を具備し、
前記サテライトポンプが、水源から前記メインポンプへと水を供給することを特徴とするシステム。
【請求項２】
請求項１記載のシステムにおいて、
さらに、第２ホースを介して前記メインポンプに対して接続された第２サテライトポンプであるとともに、水源内へと延出可能なものとして構成された第２サテライトポンプを具備していることを特徴とするシステム。
【請求項３】
請求項１記載のシステムにおいて、
前記サテライトポンプが、前記第２エンジンによって油圧的に駆動されることを特徴とするシステム。
【請求項４】
請求項１記載のシステムにおいて、
前記第２エンジンが、前記サテライトポンプを駆動することによって、前記メインポンプのプライミングを行うことを特徴とするシステム。
【請求項５】
請求項４記載のシステムにおいて、
さらに、前記メインポンプの導入水圧を検出して前記サテライトポンプの出力を制御し得るよう構成された油圧制御システムを具備していることを特徴とするシステム。
【請求項６】
請求項５記載のシステムにおいて、
前記油圧制御システムが、前記サテライトポンプの出力を制御することによって、前記メインポンプにおいて正の油圧を生成し得るよう構成されていることを特徴とするシステム。
【請求項７】
請求項１記載のシステムにおいて、
さらに、前記メインポンプと前記サテライトポンプと前記第１エンジンと前記第２エンジンとを収容し得るようなサイズとされたコンテナを具備していることを特徴とするシステム。
【請求項８】
請求項１記載のシステムにおいて、
さらに、前記システムによってポンピングされた水内へと追加物を注入し得るよう構成された追加物注入モジュールを具備していることを特徴とするシステム。
【請求項９】
請求項１記載のシステムにおいて、
前記サテライトポンプが、前記サテライトポンプの水導入口のところにおける閉塞を低減させ得るよう構成されたストレーナを備えていることを特徴とするシステム。
【請求項１０】
請求項１記載のシステムにおいて、
さらに、前記サテライトポンプを水源内へと延出し得るとともに前記サテライトポンプを水源から回収し得るように構成された動力付き延出回収システムを具備していることを特徴とするシステム。
【請求項１１】
ポンプシステムであって、
メインポンプと；
このメインポンプを駆動するための第１油圧エンジンと；
第１ホースを介して前記メインポンプに対して接続された第１サテライトポンプであるとともに、水源内へと延出可能なものとして構成された第１サテライトポンプと；
第２ホースを介して前記メインポンプに対して接続された第２サテライトポンプであるとともに、水源内へと延出可能なものとして構成された第２サテライトポンプと；
前記第１および第２のサテライトポンプを駆動するための第２エンジンと；
を具備し、
前記第１および第２サテライトポンプが、水源から前記メインポンプへと水を供給し得るよう構成され、
前記第２エンジンが、前記第１および第２サテライトポンプを駆動することによって、前記メインポンプのプライミングを行うことを特徴とするシステム。
【請求項１２】
請求項１１記載のシステムにおいて、
さらに、前記メインポンプの導入水圧を検出して前記第１および第２サテライトポンプの出力を制御し得るよう構成された油圧制御システムを具備していることを特徴とするシステム。
【請求項１３】
請求項１２記載のシステムにおいて、
前記油圧制御システムが、前記第１および第２サテライトポンプの出力を制御することによって、前記メインポンプにおいて正の油圧を生成し得るよう構成されていることを特徴とするシステム。
【請求項１４】
請求項１１記載のシステムにおいて、
さらに、前記メインポンプと前記第１および第２サテライトポンプと前記第１および第２エンジンとを収容し得るようなサイズとされたコンテナを具備していることを特徴とするシステム。
【請求項１５】
請求項１１記載のシステムにおいて、
さらに、前記システムによってポンピングされた水内へと追加物を注入し得るよう構成された追加物注入モジュールを具備していることを特徴とするシステム。
【請求項１６】
請求項１１記載のシステムにおいて、
前記第１および第２サテライトポンプの各々が、前記第１および第２サテライトポンプの水導入口のところにおける閉塞を低減させ得るよう構成されたストレーナを備えていることを特徴とするシステム。
【請求項１７】
請求項１１記載のシステムにおいて、
さらに、前記第１および第２サテライトポンプを水源内へと延出し得るとともに前記第１および第２サテライトポンプを水源から回収し得るように構成された動力付き延出回収システムを具備していることを特徴とするシステム。
【請求項１８】
ポンプシステムであって、
メインポンプと；
このメインポンプを駆動するための第１油圧エンジンと；
第１ホースを介して前記メインポンプに対して接続された第１サテライトポンプであるとともに、水源内へと延出可能なものとして構成された第１サテライトポンプと；
第２ホースを介して前記メインポンプに対して接続された第２サテライトポンプであるとともに、水源内へと延出可能なものとして構成された第２サテライトポンプと；
前記第１および第２のサテライトポンプを駆動するための第２エンジンと；
前記メインポンプの導入水圧を検出して前記第１および第２サテライトポンプの出力を制御し得るよう構成された油圧制御システムと；
前記第１および第２サテライトポンプを水源内へと延出し得るとともに前記第１および第２サテライトポンプを水源から回収し得るように構成された動力付き延出回収システムと；
を具備し、
前記第１および第２サテライトポンプが、水源から前記メインポンプへと水を供給し得るよう構成され、
前記第２エンジンが、前記第１および第２サテライトポンプを駆動することによって、前記メインポンプのプライミングを行い得るよう構成され、
前記油圧制御システムが、前記第１および第２サテライトポンプの出力を制御することによって、前記メインポンプにおいて正の油圧を生成し得るよう構成されていることを特徴とするシステム。
【請求項１９】
請求項１８記載のシステムにおいて、
さらに、前記メインポンプと前記第１および第２サテライトポンプと前記第１および第２エンジンとを収容し得るようなサイズとされたコンテナを具備していることを特徴とするシステム。
【請求項２０】
請求項１８記載のシステムにおいて、
さらに、前記システムによってポンピングされた水内へと追加物を注入し得るよう構成された追加物注入モジュールを具備していることを特徴とするシステム。
【発明の詳細な説明】
【技術分野】
【０００１】
本出願は、米国以外のすべての国においては米国の企業である Kidde Fire Fighting  Inc.社という出願人名によって、また米国においては、米国の住民である Henry Shaeferと Bill Drake と Frederick Paldan と、英国の住民である Ashley Arthur Price と、 米国の住民である John Voとという出願人名によって、２００５年７月６日付けで出願されたＰＣＴ出願であって、２００４年７月７日付けで出願された米国特許出願シリアル番号第６０／５８６，５２２号明細書の優先権を主張するものである。
【０００２】
本発明の実施形態は、大量の水を流し得るポンプシステムに関するものである。より詳細には、本発明の実施形態は、１つまたは複数の水中使用可能な移動可能な供給ポンプによって供給されるメインホストポンプを使用したポンプシステムに関するものである。
【背景技術】
【０００３】
地域の消火活動や工業所の消火活動や移動車による水の供給や緊急時の対応や他の災害救助要求といったように、大量の水を供給するポンプシステムに対しての、多くの用途がある。そのような例においては、例えば１９０００ｌ／ｍｉｎ（５０００ガロン／ｍｉｎ（ＧＰＭ））以上といったような大きな流速でもって大量の水を必要とする。典型的な水源には、湖や、川や、湾、がある。しかしながら、水源は、水を必要としている領域に対して、近くに位置しているわけでも、アクセスしやすいところに位置しているわけでも、ない。例えば、水を必要としている領域が、最も近い水源から、遠く離れている（例えば、数マイル）といったことは、珍しいことではない。よって、遠く離れたところから水を吸引し得るとともに長距離にわたって大量の水流を吸引し得るようなポンプシステムが、望ましい。
【０００４】
多くの既存の装置は、例えば火災ポンプ装置といったような、典型的な吸入／放出型の供給ポンプを使用している。そのような装置は、しかしながら、利用できる水源から使用し得る吸引揚程と距離とが限られているという欠点を有している。さらに、そのような装置は、鉛直方向の揚程性能に限界がある。すなわち、装置よりも下方に位置した水源から水を引き上げる性能に限界がある。大部分の既存の構成は、吸引箇所から３〜３．６ｍ（１０〜１２フィート）以上も下にある水源からは、水を汲み上げることができない。そのような装置は、目的に対して適切なものではあるけれども、それらの欠点は、長距離にわたって大量の水流を供給し得るとともに、鉛直方向揚程が改良されておりこれによりさらに下に位置した水源に対してアクセスし得るような改良されたポンプシステムが、なおも要望されていることを示している。
【特許文献１】米国特許出願シリアル番号第６０／５８６，５２２号明細書
【特許文献２】米国特許出願シリアル番号第１０／９２６，７３６号明細書
【発明の開示】
【課題を解決するための手段】
【０００５】
本発明の実施形態は、大量の水流を生成し得るポンプシステムに関するものである。より詳細には、本発明の実施形態は、１つまたは複数の水中使用可能な移動式供給ポンプから水が供給されるメインブーストポンプ（メインポンプ）を使用したポンプシステムに関するものである。
【０００６】
一実施形態においては、ポンプシステムは、メインポンプと、水中使用可能なサテライト供給ポンプと、制御システムと、ディーゼルドライバと、を備えている。好ましくは、ポンプシステムは、１９０００ｌ／ｍｉｎ（５０００ＧＰＭ）以上のディーゼル駆動タイプのメインポンプを備えている。メインポンプは、２つの、移動式の、油圧駆動タイプの、浮揚可能な／水中使用可能な、供給ポンプによって水が供給される。供給ポンプは、個別のエンジンによって駆動することができる。ポンプシステムは、インターモダルスタイルのコンテナの内部に格納される。
【０００７】
一実施形態においては、ポンプシステムは、大きなホースの延出と格納とを行う設備を備えたホースリールモジュールを備えて構成することができる。
【０００８】
一実施形態においては、ポンプシステムは、追加物貯蔵タンクおよび延出タンクを有した追加物（例えば、泡）または汚染除去剤のためのモジュールを備えて構成することができる。
【０００９】
他の実施形態においては、ポンプシステムは、ブースタポンプモジュールを備えて構成することができる。好ましくは、ポンプシステムは、インラインブースティングだけが必要とされた時には、水中使用可能なポンプを使用することなく、１９０００ｌ／ｍｉｎ（５０００ＧＰＭ）以上のポンプを備えている。
【００１０】
他の実施形態においては、ポンプシステムには、水分配モジュールを設けることができる。好ましくは、ポンプシステムは、３００ｍｍ（１２インチ）のホースを使用した大きな流通システムをセットアップするのに必要な継手およびマニホールドを備えている。
【００１１】
一実施形態においては、本発明の実施形態は、輸送システムモジュールを提供する。好ましくは、ポンプシステムは、例えばロールオントラックおよび／またはフックリフトスタイルトラックおよび／またはトレーラーといったような輸送車両を使用して、輸送することができる。
【００１２】
一実施形態においては、水放出システムモジュールを備えることができる。好ましくは、ポンプシステムは、固定スタイルとトレーラー取付スタイルとの双方として、大流量用モニタを備えることができる。
【００１３】
一実施形態においては、ポンプシステムは、ホストブーストポンプの有無は別として、水中使用可能な遠隔操作型のポンピング供給システムを備えることができる。そのようなシステムは、１つまたは複数の水中使用可能な遠隔操作型のポンプを使用して、個別ブーストポンプに対して、水を供給することができる。
【００１４】
一実施形態においては、システムは、メインポンプと、このメインポンプを駆動するための第１エンジンと、を備えている。システムは、さらに、ホースを介してメインポンプに対して接続されたサテライトポンプであるとともに、水源内へと延出可能なものとして構成されたサテライトポンプと、このサテライトポンプを駆動するための第２エンジンと、を備え、サテライトポンプは、水源からメインポンプへと水を供給する。
【００１５】
一実施形態においては、ポンプシステムは、メインポンプと、このメインポンプを駆動するための第１油圧エンジンと、を備えている。システムは、さらに、第１ホースを介してメインポンプに対して接続された第１サテライトポンプであるとともに、水源内へと延出可能なものとして構成された第１サテライトポンプと、第２ホースを介してメインポンプに対して接続された第２サテライトポンプであるとともに、水源内へと延出可能なものとして構成された第２サテライトポンプと、第１および第２のサテライトポンプを駆動するための第２エンジンと、を備えている。第１および第２サテライトポンプは、水源からメインポンプへと水を供給し得るよう構成され、第２エンジンは、第１および第２サテライトポンプを駆動することによって、メインポンプのプライミングを行う。
【００１６】
一実施形態においては、ポンプシステムは、メインポンプと、このメインポンプを駆動するための第１油圧エンジンと、を備えている。システムは、第１ホースを介してメインポンプに対して接続された第１サテライトポンプであるとともに、水源内へと延出可能なものとして構成された第１サテライトポンプと、第２ホースを介してメインポンプに対して接続された第２サテライトポンプであるとともに、水源内へと延出可能なものとして構成された第２サテライトポンプと、第１および第２のサテライトポンプを駆動するための第２エンジンと、メインポンプの導入水圧を検出して第１および第２サテライトポンプの出力を制御し得るよう構成された油圧制御システムと、を備えている。動力付き延出回収システムは、第１および第２サテライトポンプを水源内へと延出し得るとともに第１および第２サテライトポンプを水源から回収し得るように構成され、第１および第２サテライトポンプは、水源からメインポンプへと水を供給し得るよう構成され、第２エンジンは、第１および第２サテライトポンプを駆動することによって、メインポンプのプライミングを行い得るよう構成されている。油圧制御システムは、第１および第２サテライトポンプの出力を制御することによって、メインポンプにおいて正の油圧を生成し得るよう構成されている。
【００１７】
ホストポンプ（メインポンプ）に対して水を供給するサテライト供給ポンプの使用は、以下のような様々な利点を有している。一般に、ポンプシステムは、水源の近くに配置される必要がなく、フレキシブルさを増大させることができる。操作者は、メインポンプに対して最大で６０ｍ（２００フィート）にまで水を吸引することができ、これは、標準的な吸引ホース供給構成を使用して通常的に達成し得る性能と比較して、１５倍以上である。サテライト供給ポンプは、鉛直方向の揚程能力を１５ｍ（５０フィート）にまで増大することができ、これは、典型的な消火装置における通常の性能と比較して５倍以上である。
【００１８】
本発明の実施形態により、ポンピングのために水を供給するに際して一度に利用し得る貯水池または水源の数およびタイプを増大させることができる。ホストポンプは、水源からずっと離れたところに配置することができ、油圧効率および出力を損なうことなく、大量の水流供給能力を提供することができる。
【００１９】
複数のホストポンプは、互いに直列的に設定することができる。本発明の実施形態は、移動可能な水使用に適した大口径の消火用ホースを使用することができる。
【００２０】
ホストポンプユニットは、さらに、内蔵型の、流体流通制御と圧力制御とを行うシステムを備えている。このシステムは、制御を失うことを防止し、これにより、システムの損傷を防止し得るとともに、流量制御性を失うことを防止することができる。本発明の実施形態は、二重エンジンシステムを備えることができる。この場合、一方のエンジンは、ホストポンプのためのものであり、他方のエンジンは、サテライト供給ポンプのためのものである。この構成により、ホストポンプが枯渇状況下で動作することを確実に防止することを、補助することができる。この構成により、さらに、システムの使用をフレキシブルなものとすることができる。本発明の実施形態は、水中使用可能な供給ポンプのための流体静力学的駆動システムに関する手動でのおよび自動での制御をもたらす。これにより、システムのフレキシブルさを増大させることができる。
【００２１】
さらに、本発明の実施形態は、メインホストポンプに対しての、電子的に制御された管理システムを提供する。このシステムは、自動的に泡を比例混合するというオプションを備えるように構成されている。コンテナ構造により、陸海空にわたってのシステムの移動能力を可能とする。例えば、ロールオフや、フックアームや、ケーブル牽引能力や、他の接続モジュールに対する相互連結性、を可能とする。
【００２２】
例えば泡といったような、システム内で使用されている流体は、環境への影響を考慮して選択される。ポンプシステムは、さらに、液滴封入デバイスを備えることができる。これにより、モジュール流体が環境へと漏洩してしまうことを防止することができる。
【発明を実施するための最良の形態】
【００２３】
上記のおよび他の様々な利点や特徴点は、以下の詳細な説明によって記述される。本発明の一部をなす添付図面を参照することができ、添付図面は、いくつかの特定の例を例示しているに過ぎない。
【００２４】
添付図面においては、同一の部材または同様の部材に対しては、同一の符号が付されている。
【００２５】
例示としての複数の実施形態に関する以下の説明においては、本発明の一部をなす添付図面を参照する。添付図面には、本発明を具現し得るいくつかの実施形態が例示されている。本発明の精神および範囲を逸脱することなく構成を修正し得ることにより、他の実施形態を実施し得ることは、理解されるであろう。
【００２６】
図１と図２は、ポンプシステム１０の好ましい一実施形態を示している。図１Ａ〜図１Ｆは、非使用時においてコンテナ１５内に格納されたポンプシステム１０を示している。コンテナ１５は、ポンプシステム１０のための格納庫およびフレームを提供する。これにより、例えば平坦ではない地形上において、使用時に、支持をもたらすことができる。ポンプシステム１０は、およそ２０トン（およそ４５，０００ポンド）という重量のものとすることができ、コンテナ１５は、使用時および不使用時に保護機能を提供するとともに、輸送能力を提供する。コンテナ１５は、頂壁パネル１２と、底壁パネル１４と、前面パネル１１と、背面パネル１３と、前面パネル１１および背面パネル１３の間に位置した側壁パネル１６，１８と、を備えている。
【００２７】
コンテナ１５は、側壁パネル１６，１８に沿った長さＬと、前面パネルおよび背面パネルに沿った幅Ｗ（図１Ｆ）と、高さＨ（図１Ｄ）と、を備えている。非限定的な好ましい一例においては、長さＬは、およそ６．６ｍ（２２フィート）であり、幅Ｗは、およそ２．６ｍ（１０２インチ）である。好ましくは、高さＨは、およそ２．１ｍ（７フィート）である。
【００２８】
好ましくは、コンテナ１５は、スチールボックスとしてあるいは矩形フレームとして構成され、側壁パネル１６，１８のところにおけるスチールサイディングによって形成することができる。好ましくは、コンテナは、さらに、スチール構造ベースを備えている。これにより、内部のポンプシステム構成部材に対する良好な支持を提供し得るとともに、様々な地形上における動作を可能とする。コンテナ内には、さらに、内部照明パッケージ（図示せず）を組み込むことができる。これにより、例えば夜といったような、適切な証明状況に満たない時でも、利用を可能とする。パッケージは、１２／２４ＶＤＣまたは１２０／２２０ＶＡＣの電源によって電力供給され得るように、構成することができる。メインポンプ（図２）の周縁部分を照らすようにして、場面照明を行うことができる。これにより、暗い照明状況においても安全に作業を行うことができる。内部の照明によって、さらに、すべての隔壁やポンプ領域やエンジン領域（図２）を照らすことができる。これにより、暗い照明状況においても安全に作業を行うことができる。さらに、配電盤（図示せず）を設けることによって、照明を分配し得るとともに、メインブーストポンプ制御パネルの近傍のアクセス可能領域内に配置された動力出力回路に対して電力を供給することができる。
【００２９】
コンテナ１５は、さらに、フレーム上に、一体的に構成された輸送部材を備えることができる。そのような部材は、リフトによってアクセスされる複数のポケット３６とすることができる。ポケット３６は、貫通孔とすることができる。これにより、例えばフォークリフトトラックやクレーンといったようなリフトトラックによって、アクセスすることができる。図５は、２つのポケット３６を示している。しかしながら、必要に応じてより多くのポケットを備え得ることは、理解されるであろう。前面１１には、牽引ポイントまたは前面フックループ３８を設けることができる。これにより、輸送のためのトラックまたはプラットホーム上へとコンテナ１５を引っ張ることができる。加えて、ガイドレール３４は、プラットホーム上へのロールオンおよび／またはロールオフ能力を提供することができる。コンテナフレームワークの構造的一体性により、クレーンやヘリコプタやケーブル牽引トラックやフックリフトトラックやフォークリフトトラックによって輸送することができる。好ましくは、コンテナ１５は、頂面コーナー部からの持上と底面からの持上との双方に対応し得るような構造のものとすることができる。加えて、コンテナ１５は、好ましくは、リフトポイントおよびフォークポケットが重心回りに位置しているようにして、構造的一体性を有している。これにより、持上時（あるいは、吊り上げ時）の平衡性と安定性とを保証することができる。コンテナ１５上の構造化された輸送部材の数や構成やタイプを必要に応じて変え得ることは、理解されるであろう。
【００３０】
図１Ａ，１Ｂ，１Ｃに示すように、側壁パネル１６，１８に沿って、側面ドア２０，２２，２４が配置されている。好ましくは、制御パネルに対するアクセスと、吸引接続に対するアクセスと、放出接続に対するのアクセスと、のそれぞれのために、それぞれ１つずつ側面ドアが設けられている。より好ましくは、側面ドア２０は、操作者パネルに対するアクセスを提供し、側面ドア２２は、吸引接続に対するアクセスを提供し、側面ドア２４は、放出接続に対するアクセスを提供する。さらに、背面ドア２６が、背面１３のところに配置されている。好ましくは、背面ドア２６は、任意のサテライト供給ポンプに対するアクセスと、サテライト供給ポンプの任意のホースリール延出部材（詳細に後述する）に対するアクセスと、を提供する。好ましくは、背面ドア２６は、傾斜を有した揺動型のまたは折り畳み型の背面ドアとされる。これにより、サテライト供給ポンプに対してのアクセスを提供し得るとともに、延出を容易とすることができる。図１におけるドア構成を、必要に応じて修正し得ること、および、図１におけるドア構成が、本発明を何ら制限することのない好ましい一例に過ぎないことは、理解されるであろう。
【００３１】
図２は、コンテナ１５の外壁の図示を省略することによって、コンテナ内部に収容されたポンプシステム１０の各構成部材を図示している。油圧オイルタンク２８を、コンテナ１５のベース構造の隔室内に配置することができる。オイルタンク２８は、サテライト供給ポンプ６０の操作時に油圧ポンプ６６内において使用するためのものである（後述する）。さらに、コンテナ１５のベース構造の隔室内には、燃料タンク２８ａを配置することができる。好ましくは、燃料タンク２８ａは、８時間という運転継続能力を有したディーゼル燃料タンクとされる。コンテナ１５の内部において、ポンプシステム１０は、第１エンジン４０によって駆動されるメインポンプ５０と、メインポンプ５０に対して水を供給する少なくとも２つのサテライト供給ポンプ６０と、を備えている。２つのサテライト供給ポンプ６０は、第２エンジン６８によって駆動することができる。これにより、少なくとも１つの油圧ポンプ６６を駆動することができる。油圧ポンプ６６を駆動することによって、各サテライトポンプ６０のところに圧力を生成することができる。これにより、サテライトポンプ６０のところにおいて、水源からホストポンプ５０へと向かうような所望の水流を生成することができる。
【００３２】
メインポンプ５０は、好ましくは、遠心型の水平方向分割ケースタイプのポンプとして、構成される。メインポンプは、キャストアイアン製ボディと、ステンレススチール製のシャフトと、ブロンズ製のインペラーと、フランジ付きの放出部と、フランジ付きの吸引部と、を備えることができる。より好ましくは、メインポンプは、Peerless社によるモデル１０ＡＥ２０または等価物とされる。メインポンプ５０は、コンテナ１５の内部に配置され、サテライトポンプは、コンテナの背面から延出される。サテライトポンプは、車輪を備えている。
【００３３】
第１エンジン４０は、好ましくは、Ｃ１６インライン６シリンダ型のディーゼルエンジンまたは等価物である。第１エンジン４０は、電子制御インターフェースを備えることができ、さらに、１２または２４ＶＤＣの電気システムと、１２または２４ＶＤＣの起動システムバッテリパックと、１１０／２２０ＶＡＣランドラインで動作するとともに充電レベルを表示するメータが付設された付きの１２または２４ＶＤＣの充電システムと、を備えることができる。好ましくは、第１エンジンは、ブロックヒータを備えており、さらに、ランドライン接続と、レジデンシャルスパーク阻止マフラーと、マニホールド上の排気ブランケットと、ターボと、フレックスと、マフラー（１１０〜１１５ｄＢ）と、を備えている。第１エンジン４０に対しては、燃料タンク２８ａから燃料を供給することができる。
【００３４】
メインポンプ５０は、側面ドア２２を通してアクセス可能な少なくとも１つの吸引接続部５６に対して接続されている。好ましくは、メインポンプ５０は、図示された２つのサテライト供給ポンプ６０からの吸引を受領し得るようにして、少なくとも２つの吸引接続部５６に対して接続されている。メインポンプ５０は、さらに、側面ドア２４を通してアクセス可能な少なくとも１つの放出接続部５２に対して接続されている。メインポンプ５０は、図２Ｂに示すようにして、２つの放出接続部５２に対して接続することができる。サテライト供給ポンプの数に応じてまた所望の最終目的物の数に応じて、吸引接続部の数および放出接続部の数を、必要に応じて変更し得ることは、理解されるであろう。
【００３５】
好ましくは、メインポンプ５０は、４４１ｋＷ（６００馬力）以上のディーゼルエンジンとされたエンジン４０によって駆動された場合には、１０３５ｋＰａ（１５０ｐｓｉ）以上において１９０００ｌ／ｍｉｎ（５０００ＧＰＭ）という能力を備えている。好ましくは、放出接続部は、ヴィクトーリック（victaulic ）継手と遠隔制御タイプの操作者放出バルブ（図示せず）とを有した３００ｍｍ（１２インチ）の放出接続部とされる。吸引接続部５６は、好ましくは、ヴィクトーリック継手と遠隔制御タイプの操作者放出バルブとを有した２００ｍｍ（８インチ）の吸引接続部とされる。各接続部は、代替可能な構成においては、必要に応じて修正することができる。
【００３６】
吸引接続部５６の近傍に配置された追加的な注入接続部５８を使用することにより、付加的な追加の注入システム（例えば、泡）に対して接続することができる。追加的な注入接続部は、７６ｍｍ（３インチ）の接続部とすることができる。これにより、そのような注入システムを、ポンプシステムに対して接続することができる。好ましくは、注入接続部５８は、遠隔制御タイプの供給バルブおよび流量計（図示せず）を備えることができる。放出接続部５２の近傍においては、他のより小さな放出接続部５４を使用することができる。好ましくは、放出接続部は、 Storz継手と遠隔制御タイプの操作者放出バルブ（図示せず）とを有した１２７ｍｍ（５インチ）の放出接続部とされる。
【００３７】
より好ましくは、放出接続部は、放出マニホールドとして構成され、この放出マニホールドは、３０４ステンレススチールによってコーティングされたスチールから形成されるとともに、２５４ｍｍ（１０インチ）というサイズの導入フランジを備えている。放出接続部５２は、好ましくは、３００ｍｍ（１２インチ）の、１２／２４ＶＤＣ油圧調節バタフライバルブとして構成され、３００ｍｍ（１２インチ）のグルーブ付き接続部によって終端される。放出接続部５４は、好ましくは、１２７ｍｍ（５インチ）の、１２／２４ＶＤＣ油圧調節バタフライバルブとされ、１２７ｍｍ（５インチ）の Storz継手によって終端される。より好ましくは、吸引接続部は、吸引マニホールドとして構成され、この吸引マニホールドは、３０４ステンレススチールによってコーティングされたスチールから形成されるとともに、３００ｍｍ（１２インチ）というサイズの導出フランジを備えている。吸引接続部５６は、好ましくは、２０３ｍｍ（８インチ）の、最小グルーブ付き導入部として構成される。追加的な導入バルブ５８は、好ましくは、７６ｍｍ（３インチ）の、バルブ付き Storz導入口として構成される。
【００３８】
ラジエータ４２を設けることにより、メインポンプ５０と第１エンジンとを冷却することができる。好ましくは、図２Ａおよび図２Ｄに示すように、ラジエータ４２は、第１端部１１の近傍に配置され、第１端部１１を通して通風する。流量計５５が、付加的には、ポンプシステム１０の排出側の近傍に取り付けられる。好ましくは、流量計は、使用される場合には、３００ｍｍ（１２インチ）の水流量計とされる。
【００３９】
サテライト供給ポンプ６０は、第２エンジン６８によって駆動することができる。好ましくは、第２エンジン６８は、サテライト供給ポンプ６０を動かすための圧力を生成する油圧ポンプ６６を駆動する。第２エンジンは、２２０ｋＷ（３００馬力）以上のディーゼル駆動システムとして構成することができる。油圧ポンプ６６は、ホースリール６２からの圧力ホースを操作する。この場合、ホースは、サテライト供給ポンプ６０に対して接続することができる。ホースリールは、背面１３の近傍のところにおいて、頂壁パネル１２に対して取り付けることができ、サテライト供給ポンプ６０がコンテナ１５の内部において配置された位置に、取り付けることができる。好ましくは、ホースリールを操作することによって、油圧力を、ホースを介して供給ポンプ６０に対して伝達することができ、供給ポンプ６０の動力付き回収システムとして動作する。好ましくは、サテライト供給ポンプ６０は、９５００ｌ／ｍｉｎ（２５００ＧＰＭ）以上の、油圧駆動型の、水中使用可能なサテライトポンプとして構成される。サテライト供給ポンプ６０の各々は、延出のために使用されるストレーナキャリッジ６１によって支持されてその内部に格納することができる。好ましくは、ストレーナキャリッジは、延出ローリングキャリッジとして構成され、車輪６４を備えていることにより、水源に向けて容易に移動し得るものとすることができる。これらキャリッジは、また、導入ストレーナとしても、機能することができる。
【００４０】
サテライトポンプの各々は、吸入のために利用可能な開放面積を著しく増大させる一体型のストレーナシャシーを備えることができる。よって、シャシーにより、ストレーナをおよそ５０％にまで閉塞することができ、公知システムと比較して、ポンプに対して、より多くの水流を提供することができる。好ましくは、シャシーは、チューブ状の一体型シャシーとすることができ、ストレーナと、延出車輪と、浮力フロートと、延出／回収用の接続ポイントと、を備えている。サテライトポンプは、延出シャシー内に取り付けられる。好ましくは、サテライトポンプは、使用時には、シャシーからは決して取り外す必要はない。
【００４１】
好ましくは、サテライト供給ポンプ６０は、延出可能な浮揚可能な『魚のような』ポンプに似ている。より好ましくは、２つのサテライトポンプ６０は、メインポンプに対して水を供給するように動作することができる。サテライトポンプは、高温圧延スチールまたはステンレススチールまたは非鉄金属からなるケーシングと、３０４ステンレススチール製のまたはブロンズ製のインペラーと、から構成することができる。サテライトポンプ６０は、小さな回転数（例えば、１２５０〜１３００ｒｐｍ）において、３０ｍ（１００フィート）という合計水圧ヘッドでもって、９５００ｌ／ｍｉｎ（２５００ＧＰＭ）以上という能力を備えることができる。ストレーナキャリッジ６１は、吸引導入ストレーナが付設された一体型の延出キャリッジとすることができる。好ましくは、供給ポンプ６０は、油圧システム（閉ループ）によって駆動される。供給ポンプ６０は、メインポンプ５０を駆動する油圧モータを備えることができ、油圧オイル流を利用する能力にまで供給ポンプ６０を適切に駆動することができる。
【００４２】
油圧モータは、環境にやさしい野菜を主成分とするオイルを使用して動作し得るように、構成することができる。いくつかの実施形態においては、油圧モータは、油圧モータとホース接続部（図示せず）とを収容するステンレススチール製容器内に収容することができる。そのような容器を使用することにより、漏れ出たすべてのオイルを収集することができ、周囲の水環境内へとオイルを流出させることを防止することができる。
【００４３】
さらに、供給ポンプには、着脱可能な浮揚ポンツーンを付設することができる。好ましくは、サテライトポンプは、キャリッジの支持フレーム内に組み付けられたエアタイヤとされた車輪６４を備えたキャリッジ６１を使用することによって、延出することができる。代替可能な実施形態においては、タイヤは、引っ張りピンリリースシステム（図示せず）を使用することによって、ポンツーンのところにまで格納することができる。また、タイヤを、浮揚機能の一部をなすものとし得ることは、理解されるであろう。ホースリール６２と圧力ホースとは、ポンプ回収システムの一部とされる。ポンプ回収システムは、電気駆動されるウインチを備えており、このウインチの動力によって、４５ｍ（１５０フィート）離間した距離のところにまで水中使用可能なポンプを延出して回収することができる。圧力ホース回収システムは、各ポンプ６０のための２つの油圧駆動ホースリールを備えている。そして、１つのリールあたりにつき、およそ４５ｍ（１５０フィート）というトリプル圧力ホースアンビリカルホースという性能を有している。
【００４４】
ポンプ回収システムは、回収システム制御パネル（図示せず）を備えることができる。回収システム制御パネルは、３０４ステンレススチールから構成し得るとともに、背面パネル１３の左側近傍のところに配置することができる。。制御パネルは、コンテナ１５の内部に配置することができ、保護し得るとともに、暗い状況下においては照明をあてることができる。この制御パネルは、圧力ホース回収制御も含めて、サテライトポンプ回収システムの電子制御を提供する。
【００４５】
好ましくは、第２エンジン６８は、油圧ポンプのドライバであって、Ｃａｔ  Ｃ９インライン６シリンダ型のディーゼルエンジンまたは等価物として構成される。第２エンジン６８は、Ｊ１９３９制御インターフェースを使用することにより、１９００ＲＰＭかつ３００ＢＨＰで動作することができる。代替可能な実施形態においては、第２エンジンは、ＳＡＥ  １  フライホイールハウジングから構成することができ、３５５ｍｍ（１４インチ）のフライホイールと、手動でのスロットル制御系と、２１００ＲＰＭに修正的にセットされた電子ガバナ制御系と、ＳＡＥ“Ｅ”フライホイールアダプタと、を備えている。第２エンジンは、さらに、３１７ｍｍ（１２．５インチ）というボルト円直径と、１６５ｍｍ（６．５インチ）のパイロットと、を備えることができる。第２エンジン６８は、好ましくは、ラジエータによって冷却される。第２エンジン６８は、好ましくは、１２／２４ＶＤＣの電気システムと、１２／２４ＶＤＣの起動システムと、バッテリパック（第１エンジンと共通のもの）と、を備えている。第２エンジン６８は、沿岸で電力供給される（例えば、１１０／２２０ＶＡＣ）ブロックヒータを備えており、さらに、ランドライン接続と、充電レベルを表示するためのメータが付設されかつランドラインによって沿岸で電力供給される（例えば、１１０／２２０ＶＡＣ）１２／２４ＶＤＣの充電システムと、を備えている。第２エンジンのさらなる構成部材は、レジデンシャルスパーク阻止マフラーと、マニホールド上の排気ブランケットと、ターボと、フレックスと、マフラーと、８時間という運転継続能力を有した燃料タンク（第１エンジンと共通のもの）と、所望の油圧ポンプの速度およびトルクに適したサイズのものとされた油圧ポンプ継手と、を備えている。
【００４６】
複数の油圧ポンプ６６は、好ましくは、互いに並列的に駆動され得るように取り付けられ、第２エンジン６８によって駆動される。油圧ポンプ６６は、水と油との間の熱交換器と、ラジエータ上の空冷熱交換器と、を備えることができる。好ましくは、十分な容量（例えば、５７０ｌ（１５０ガロン））を有したリザーバを、油圧ポンプ６６のために設けることができる。油圧ポンプ６６においては、サーボ静水制御システムを使用することができる。このシステムにおいては、導入水圧および／またはバイアス空気圧力を検出することにより、水中使用可能なサテライト供給ポンプ６０に対しての油圧動力出力を制御する。
【００４７】
第２エンジン６８には、油圧ポンプドライバ制御パネル（図示せず）を設けることができる。油圧ポンプドライバ制御パネルは、３０４ステンレススチールから構成することができ、アラームと停止機構とを付設することができ、ポンプシステム１０の左側に配置することができる。好ましくは、この制御パネルは、部材から保護されたメイン容器の内部に配置され、暗い照明環境下においては、照明をあてることができる。好ましくは、油圧ポンプドライバ制御パネルは、以下の各構成部材に関しての、制御インジケータと警告インジケータ（例えば、可聴のインジケータ、および／または、可視のインジケータ）を備えることができる。
（１）エンジンの自動速度制御（例えば、パルス幅信号を使用する）。
（２）手動でのエンジン速度制御。
（３）導入圧力および導出圧力に関しての自動圧力管理システム。
（４）過圧の制御。
（５）エンジンの過度な温度上昇に関するアラーム（可視的／可聴的）。
（６）エンジンオイル圧力の低下に関するアラーム（可視的／可聴的）。
（７）バッテリ電圧に関するアラーム（可視的／可聴的）。
（８）エンジン温度。
（９）エンジンの回転数。
（１０）エンジンの油圧。
（１１）ポンプの放出圧力。
（１２）ポンプの吸引圧力。
（１３）バッテリ電圧。
【００４８】
図３は、コンテナの外壁の図示を省略することによって、ポンプシステムの他の実施形態に関しての各構成部材を図示している。上述した部材と同様の部材には、同じ符号が付されている。図３Ａ〜図３Ｆに示すポンプシステムも、また、例えば、第１エンジン４０ａによって駆動されるメインポンプ５０ａと、放出接続部５２ａと、吸引接続部５６ａと、を備えている。好ましくは、メインポンプ５０は、１９０００ｌ／ｍｉｎ（５０００ＧＰＭ）以上の遠心ポンプとして構成され、第１エンジン４０ａは、キャタピラＣ１６ディーゼルエンジンまたは等価物とされる。好ましくは、放出接続部５２ａは、３００ｍｍ（１２インチ）の接続部とされ、吸引接続部５６ａは、２００ｍｍ（８インチ）の接続部とされる。そのような接続部は、代替可能な構成においては、必要に応じて修正することができる。
【００４９】
ラジエータ６８ａが、第２エンジンおよび油圧ポンプ６６ａに付設されたものとして図示されている。好ましくは、第２エンジンは、Ｃ９ディーゼルドライバとされ、ラジエータ６８ａによって冷却される。図２とは異なり、油圧タンク６５ａは、構造ベース内に組み付けることができる、あるいはそうでなければ、コンテナの頂壁パネルのところに取り付けることができる。図３Ｃおよび図３Ｄは、背面パネル１３ａに関しての代替可能な構成を示している。背面ドア２４ａは、ロールアップドアとすることができる。これにより、供給ポンプ６０ａに対してアクセスし得るとともに、ホースリール６２ａと圧力ホースとを使用することができる。好ましくは、一対をなすロールアップドア２４ａを使用することにより、２つのサテライト供給ポンプ６０ａのそれぞれに対して個別的にアクセスすることができる。
【００５０】
図４Ａは、目的地への出発準備が完了した状態でのポンプシステム１０を示している。図４Ｂは、目的地において降ろされているポンプシステム１０を示している。ポンプシステム１０は、輸送車両９０を使用することにより、輸送したり降ろしたりすることができる。図４Ａおよび図４Ｂにおいて例示された非限定的な一例においては、輸送車両９０は、リフトトラックとすることができる。しかしながら、輸送車両は、任意の適切な車両とすることができ、例えば、フォークリフトや、他のリフトトラックや、輸送機や、プラットホームや、クレーンや、ヘリコプタや、軌道車や、船や、はしけや、その他のもの、とすることができる。
【００５１】
図５および図６は、ポンプシステムの使用時の状況を示している。図５は、表面８０上において水源８２に対して使用されているポンプシステム１０を示している。ポンプシステム１０は、ポンプシステム１０が配置されている場所よりも水源８２が低い場所にあるような斜面８０上において動作している状況で、図示されている。側面ドア２０を通してアクセス可能とされた制御パネル７０により、ポンプシステム１０を制御することができる。供給ホース７２は、その一端が、サテライト供給ポンプ６０に対して接続されており、反対側の端部が、側面ドア２２を通してアクセス可能な吸引接続部５６に対して接続されている。好ましくは、供給ホース７２は、コンテナ１５の吸入側において、メインポンプ５０に対して水を供給する。圧力ホース７４は、サテライト供給ポンプ６０に対して油圧を供給する。ホース７４は、ホースリール６２によって延出することができる。ホースリール６２は、また、圧力ホースおよびサテライトポンプ６０に関しての動力付き回収システムとしても、使用することができる。
【００５２】
制御パネル７０は、ポンプシステム１０の全体的システム制御を行うことができる。好ましくは、制御パネルは、３０４ステンレススチール粉末によってコーティングされたスチールから形成され、アラーム機能と停止機能とを有しており、ポンプシステム１０の左側に配置されていて、側面ドア２０を通してアクセス可能とされている。制御パネル７０は、部材から保護されたコンテナ１５の内部に配置することができ、暗い照明環境下においては、照明をあてることができる。好ましくは、制御パネル７０によるシステム制御においては、以下のことを行うことができる。
（１）圧力トランスデューサ信号に基づいてパルス幅制御を行うことにより、第１エンジンの手動／自動での速度制御を行うことができる。これにより、常に、水中使用可能なサテライト供給ポンプ６０からの、６９ｋＰａ（１０ｐｓｉ）という導入圧力を確保し得るとともに、各サテライトポンプを手動で制御することができる。
（２）手動でのエンジン速度制御と、導入圧力および導出圧力に関しての自動的圧力管理と、を行うことができる。
（３）過圧力の制御を行うことができる。
（４）エンジンの過度な温度上昇に関するアラーム（可視的／可聴的）を発することができる。
（５）エンジンオイル圧力の低下に関するアラーム（可視的／可聴的）を発することができる。
（６）バッテリ電圧低下に関するアラーム（可視的／可聴的）を発することができる。
（７）エンジン温度を制御することができる。
（８）エンジンの回転数を制御することができる。
（９）エンジンの油圧を制御することができる。
（１０）ポンプの放出圧力を制御することができる。
（１１）ポンプの吸引圧力を制御することができる。
（１２）バッテリ電圧を制御することができる。
（１３）エンジンの運転時間を計測することができる。
（１４）燃料レベルを制御することができる。
（１５）照明を制御することができる。
（１６）外部環境に対しての照明のオン／オフを制御することができる。
（１７）内部の照明を制御することができる。
（１８）ドアスイッチを使用することによって、隔室内の照明を自動制御することができる。
（１９）メインエンジンの停止を制御することができる。
（２０）燃料冷却の低下に関するアラーム（可視的／可聴的）を発することができる。
【００５３】
図６は、使用状況において、ポンプシステム１０ｂを概略的に示している。図５と同様の構成部材には、同じ符号に添字“ｂ”が付されている。ポンプシステム１０ｂは、さらに、サテライト供給ポンプ６０ｂに対して同様の構成でもって接続されたような、供給ホース７２ｂおよび圧力ホース７４ｂを備えている。ポンプシステム１０の場合と同様に、供給ポンプ６０ｂは、ストレーナキャリッジ６１ｂによって搬送されている。供給ポンプ６０ｂは、水源８２ｂ内へと延出されている。図６は、水源８２とポンプシステム１０ｂとの間の好ましい動作距離Ｄを示している。好ましくは、動作距離Ｄは、およそ４５ｍ（１５０フィート）とされる。図６の構成は、水源８２の表面の高さ位置からポンプシステム１０ｂが配置されている高さ位置までにわまたってのポンプシステム１０ｂの動作を可能としている高さＥを示している。好ましくは、高さは、およそ１５ｍ（５０フィート）とされる。これにより、最大で１５ｍ（５０フィート）という鉛直方向の揚程をもたらすことができる。よって、ポンプシステム１０ｂおよびメインポンプは、丘や崖や高いドックに配置することができ、この場合でも、サテライトポンプは、メインポンプに対して水流を供給することができる。
【００５４】
図６は、サテライト供給ポンプ６０ｂおよび供給ホース７２ｂから供給を受けたメインポンプから水流を放出するために使用し得る放出ホース７６ｂを示している。放出ホース７６ｂは、任意の所望の目的地８５に対して、および／または、例えば大流量の消火ノズルといったような消火ノズル１００に対して、供給することができる。目的地は、水を必要とする任意の領域とすることができ、例えば、飲料水の供給場所や、地域の消火活動や、工業所の消火活動や、災害救助領域、とすることができる。
【００５５】
他の好ましい実施形態においては、複数のホストポンプモジュールを、設けることができる。図６に概略的に示すように、本発明の実施形態は、ブーストポンプとして単独で動作し得る追加的なポンプシステム１０’を備えることができる。追加的なポンプシステム１０’は、複数のブーストポンプとして、互いに直列に接続することができる。好ましくは、互いに直列接続された複数のブーストポンプは、距離Ｘだけ互いに離間される。距離Ｘは、各々のポンプシステム１０’の間において、１．６ｋｍの数倍（数マイル）を意味する。
【００５６】
本発明の実施形態においては、さらに、流速に基づいた直接的注入調和システム（図示せず）を設けることができる。調和システムは、流れに関する測定をベースとしたものとすることができる。ポンプシステムは、例えば移動ポンプを有したタンカーを備えることによって、ポンピングされた付加的な供給物（例えば、泡）を使用して、動作することができる。追加的なバルク供給物は、ポンプシステムの吸入側内へと、バルクコンテナからポンピングすることができる。流量計は、ポンプから導出される溶液の流速と、ポンプシステムの吸入マニホールド内へと導入される追加物の流速と、を表示することができる。これら流速を比較することにより、行われている注入の比率を決定することができる。比率的な注入は、ポンプシステムに対して追加物を供給している移動ポンプの回転数を調節することによって、増減することができる。この調節は、流量計出力の読取値に基づいて行うことができる。
【００５７】
図５および図６において例示のために図示されているように、本発明の実施形態においては、以下の動作シーケンスを実行することができる。ポンプシステムは、ケーブル牽引延出システムを使用して、輸送トラックから降ろすことにより、延出することができる。２つの水中使用可能なポンプが格納されているコンテナの背面のところにおいて、ドアを開ける。使用時には、コンテナの両側面のドアを開け、これにより、吸入接続部に対してのアクセスおよび放出接続部に対してのアクセスを可能とする。２つの水中使用可能なサテライト供給ポンプを、コンテナの床から外部に引き下ろすことを可能とする傾斜を通して降ろす。各々の水中使用可能なポンプに対して、迅速結合型の回収ケーブルを取り付けることができる。各々のポンプを、水辺にまで移動させる。そして、２００ｍｍ（８インチ）長さの給水ホースを、各々の水中使用可能なサテライトポンプの放出接続部に対して接続する。それから、２００ｍｍ（８インチ）長さの供給ホースを、サテライトポンプから延出し、メインポンプの吸入マニホールド接続部に対して接続する。その後、浮揚式の水中使用可能なサテライトポンプを、水の中へと移動させる。その場合、ポンツーンシステムによって、水中の所定位置にポンプを浮かせることができる。メインポンプからの３００ｍｍ（１２インチ）の放出ホースを、ポンプシステムの放出接続部から、次なる装置にまで、直列的に（図６における直列的使用）延出することができる。この装置は、大流量の消火ノズルとすることができる、あるいは、ブーストポンプとしてまたは目的地として動作するような他のポンピングシステムとすることができる。
【００５８】
システムのセットアップが完了した後に、ポンピングを実施することができる。動作シーケンスは、以下の通りとされる。
（１）水中使用可能な油圧ポンプドライバを起動し、回転数を、およそ１９００ｒｐｍにセットする。この際、メインポンプの導入圧力を検出し得るサーボ油圧ポンプシステムを駆動し、必要に応じて水中使用可能なサテライトポンプの速度を速くしたりあるいは遅くしたりする。これにより、メインポンプの導入口のところにおける水圧を、適切な値（例えば、３４．５〜１０３．５ｋＰａ（５〜１５ｐｓｉ））に維持する。油圧ポンプは、各々の水中使用可能なサテライトポンプに対して、適切な油圧力（例えば、３４５００ｋＰａ（５０００ｐｓｉ）において１９０ｌ／ｍｉｎ（５０ＧＰＭ））を供給することができる。この油圧の流れと圧力とが、水中使用可能なサテライトポンプを駆動し、これにより、９５００ｌ／ｍｉｎ（２５００ＧＰＭ）以上の水流を、メインポンプに対して供給する。圧力ホースラインは、４５ｍ（１５０フィート）という直線的な延出を可能とし得るようなサイズのものとすることができる。
（２）油圧ポンプの手動制御スイッチを、『ＯＮ』位置とする。これは、油圧ポンプに対して接続することができる。よって、浮いている水中使用可能なサテライトポンプに対して接続された油圧モータを加圧することができる。浮いているポンプの圧力が高くなると、メインポンプに対して２００ｍｍ（８インチ）の供給ホースを介して水をポンピングすることができる。
（３）ポンプパネルのところにおける圧力計を読むことにより、メインポンプの導入口のところにおける最小でも６９ｋＰａ（１０ｐｓｉ）という正圧を確認する。
（４）油圧ポンプ手動制御スイッチを、『自動』の位置とする。これにより、油圧制御システムを起動することができる。この油圧制御システムは、メインポンプの導入圧力を追跡するとともに、水中使用可能なポンプの速度を必要に応じて自動的に増減し、これにより、所定範囲内において連続的にメインポンプに対して供給を行うことができる。
（５）メインポンプを起動して、所望圧力でもって放出装置に対してのポンピングを開始する。
（６）電子的エンジン制御を、自動モードへとセットする。これにより、電子的エンジン制御システムを起動することができる。このシステムは、メインポンプの放出圧力を追跡し得るとともに、エンジン速度を必要に応じて自動的に増減することができ、これにより、連続的に放出を維持することができる。
【００５９】
より好ましくは、例示としての実施形態においては、メインポンプの起動前に、サテライトポンプが、メインポンプ内へと水をポンピングするものとされる。例えば、第２エンジンを使用することにより、第１エンジンとは個別的になおかつメインポンプとは個別的に、サテライトポンプを駆動することができる。サテライトポンプは、メインポンプに対して水を供給することができる。これにより、メインポンピングのプライミング（呼び水効果）を行うことができる。これにより、メインポンプが『枯渇してしまう』（すなわち、十分な水がない状態で運転される）という可能性を最小化することができる。枯渇状態とは、メインポンプを損傷してしまいかねないものとして、ポンプメーカによって注意されている状況である。
【００６０】
さて、図７〜図９においては、ポンプシステム２００の例示としての一実施形態が示されている。図７Ａ〜図７Ｆに示すように、システム２００は、上述したシステム１０の場合と同様に、コンテナ１５’を備えている。しかしながら、システム２００は、システム２００が、メインポンプも、また、メインポンプを駆動するための第１エンジンも、備えていないという点において、相違している。その代わりに、図８Ａ〜図８Ｄ、および、図９Ａおよび図９Ｂに示すように、システム２００は、ただ１つのサテライトポンプ６０’と、このサテライトポンプ６０を駆動するためのエンジン６８’と、を備えている。
【００６１】
図１０に示すように、システム２００のサテライトポンプ６０’は、水源８２ｃへと延出することができ、これにより、個別のブーストポンプ２５０に対して水を供給することができる。また、個別の追加的な注入モジュール２６０をブーストポンプ２５０に対して接続することにより、供給水に対して追加物を注入することができる。
【００６２】
さて、図１１Ａおよび図１１Ｂには、他の例をなすポンプシステム３００が図示されている。ポンプシステム３００は、システム２００と同様のものではあるけれども、システム３００が、２つのサテライトポンプ６０’を備えている点において、相違している。図１２に示すように、サテライトポンプ６０’の各々は、水源８２ｄから、個別のブーストポンプ３５０へと、水を供給することができる。そして、ブーストポンプ３５０は、マニホールド３６０を介して、移動式の消火装置３７０に対して、水を供給することができる。マニホールド３６０および移動式の消火装置３７０についての実施形態に関するさらなる詳細は、２００４年８月２６日付けで出願された“High Flow Mobile Fire Fighting  System”と題する特許文献２に見出すことができる。この文献の記載内容は、参考のため、その全体がここに組み込まれる。
【００６３】
図１３には、上記特許文献２に記載されているように、水ポンプ４５０に接続されたものとして、システム３００のサテライトポンプ６０’が図示されている。水ポンプ４５０は、マニホールド３６０を介して、移動式の消火装置３７０に対して接続されている。
【００６４】
システム２００，３００は、サテライトポンプを使用することによって、様々な構成とされたで１つまたは複数の個別のメインポンプに対して水を供給し得るという点において、有利である。システム１０は、第２エンジン６８およびサテライトポンプ６０を使用することによって（メインポンプ５０および第１エンジン４０を使用することなく）、同様の態様で使用することができ、これにより、個別のメインポンプに対して水を供給することができる。
【００６５】
本発明の実施形態は、既存のポンプシステムと比較して、多くの利点を提供する。メインポンプに対して水を供給するサテライト供給ポンプの使用は、以下のような様々な利点を有している。操作者は、メインポンプに対して最大で６０ｍ（２００フィート）にまで水を吸引することができ、これは、標準的な吸引ホース供給構成を使用して通常的に達成し得る性能と比較して、１５倍以上である。サテライト供給ポンプは、鉛直方向の揚程能力を１５ｍ（５０フィート）にまで増大することができ、これは、典型的な消火装置における通常の性能と比較して５倍以上である。
【００６６】
本発明による構成により、ポンピングのために水を供給するに際して一度に利用し得る貯水池または水源の数およびタイプを増大させることができる。ホストポンプは、水源からずっと離れたところに配置することができ、油圧効率および出力を損なうことなく、大量の水流供給能力を提供することができる。
【００６７】
複数のホストポンプは、互いに直列的に設定することができ、これにより、ポンピング距離を無制限のものとすることができる。本発明の実施形態は、移動可能な水使用に適した大口径の消火用ホースを使用することができる。
【００６８】
ホストポンプユニットは、さらに、内蔵型の、流体流通制御と圧力制御とを行うシステムを備えている。このシステムは、制御を失うことを防止し、これにより、システムの損傷を防止し得るとともに、流量制御性を失うことを防止することができる。本発明の実施形態は、二重エンジンシステムを備えている。この場合、一方のエンジンは、ホストポンプのためのものであり、他方のエンジンは、サテライト供給ポンプのためのものである。この構成により、ホストポンプが枯渇状況下で動作することを確実に防止することを、補助することができる。この構成により、さらに、システムの使用をフレキシブルなものとすることができる。さらに、この態様においては、個別的な油圧ポンプドライバは、使用し得る他のすべての従動装置を動作させ得るとともに、メインポンプのプライミングを行うことおよびメインポンプに対して水を供給することという主要な機能を果たすことができる。この特徴点により、ポンプシステムは、メインポンプに対してあるいは代替可能なメインポンプに対して、水を供給することができる。また、ポンプシステムを、複数のポンプシステムに対して直列接続されたブーストポンプとして単に動作させることができる。よって、水および追加溶液を、長距離にわたってポンピングすることができる。このブーストポンプ動作においては、ポンプシステムは、水中使用可能なサテライト供給ポンプの使用を必要としない。よって、使用しないときには、サテライト供給ポンプを、格納しておくことができる。
【００６９】
本発明の実施形態は、水中使用可能な供給ポンプのための流体静力学的駆動システムに関する手動でのおよび自動での制御をもたらす。これにより、無限大のセットアップを行うことができる。
【００７０】
さらに、本発明の実施形態は、メインホストポンプに対しての、電子的に制御された管理システムを提供する。このシステムは、追加物を自動的に比率混合するというオプションを備えるように構成されている。コンテナ構造により、陸海空にわたってのシステムの移動能力を可能とする。例えば、ロールオフや、フックアームや、ケーブル牽引能力や、他の接続モジュールに対する相互連結性、を可能とする。
【００７１】
例えば追加物や油圧流体や冷却流体といったような、システム内で使用されている流体は、環境への影響を考慮して選択される。ポンプシステムは、さらに、液滴封入デバイスを備えることができる。これにより、モジュール流体が環境へと漏洩してしまうことを防止することができる。
【００７２】
本発明の例示としてのいくつかの実施形態について上述したけれども、当業者には、様々な修正や等価物が自明であろう。そのような様々な修正や等価物が本発明の範囲内に包含されることが、意図されている。
【図面の簡単な説明】
【００７３】
【図１Ａ】本発明によるポンプシステムの一実施形態を示す斜視図であって、ポンプシステムは、コンテナ内に収容されていて、非使用状態とされている。
【図１Ｂ】図１Ａのポンプシステムを示す側面図とされる。
【図１Ｃ】図１Ａのポンプシステムを示す側面図であって、図１Ｂに示す側面とは反対側の側面を示している。
【図１Ｄ】図１Ａのポンプシステムを示す正面図とされる。
【図１Ｅ】図１Ａのポンプシステムを示す背面図とされる。
【図１Ｆ】図１Ａのポンプシステムを示す平面図とされる。
【図２Ａ】図１Ａのポンプシステムを、コンテナの外壁を図示しないことによってコンテナ内部のポンプシステムの各構成部材を見せるようにして、示す斜視図とされる。
【図２Ｂ】図２Ａのポンプシステムを示す側面図とされる。
【図２Ｃ】図２Ａのポンプシステムを示す側面図であって、図２Ｂに示す側面とは反対側の側面を示している。
【図２Ｄ】図２Ａのポンプシステムを示す正面図とされる。
【図２Ｅ】図２Ａのポンプシステムを示す背面図とされる。
【図２Ｆ】図２Ａのポンプシステムを示す平面図とされる。
【図３Ａ】本発明によるポンプシステムの他の実施形態を、コンテナの外壁を図示しないことによってコンテナ内部のポンプシステムの各構成部材を見せるようにして、示す平面図とされる。
【図３Ｂ】図３Ａのポンプシステムを示す側面図とされる。
【図３Ｃ】図３Ａのポンプシステムを、コンテナの背面を開放することによってコンテナ内部のポンプシステムの各構成部材を見せるようにして、示す背面図とされる。
【図３Ｄ】図３Ａのポンプシステムを、コンテナの背面をドアによって閉塞した状態でもって示す背面図とされる。
【図４Ａ】図１Ａのポンプシステムを示す斜視図であって、目的地までの輸送の待受状態を示している。
【図４Ｂ】図１Ａのポンプシステムを示す斜視図であって、目的地において降ろされている様子を示している。
【図５】図１Ａのポンプシステムを示す斜視図であって、表面上において水源に対して使用されている様子を示している。
【図６】本発明によるポンプシステムの他の実施形態の使用状況を概略的に示す図とされる。
【図７Ａ】本発明によるポンプシステムの他の実施形態を示す斜視図であって、ポンプシステムは、コンテナ内に収容されていて、非使用状態とされている。
【図７Ｂ】図７Ａのポンプシステムを示す側面図とされる。
【図７Ｃ】図７Ａのポンプシステムを示す側面図であって、図７Ｂに示す側面とは反対側の側面を示している。
【図７Ｄ】図７Ａのポンプシステムを示す正面図とされる。
【図７Ｅ】図７Ａのポンプシステムを示す背面図とされる。
【図８Ａ】図７Ａのポンプシステムを、コンテナの外壁を図示しないことによってコンテナ内部のポンプシステムの各構成部材を見せるようにして、示す側面図とされる。
【図８Ｂ】図８Ａのポンプシステムを示す平面図とされる。
【図８Ｃ】図８Ａのポンプシステムを示す側面図であって、図８Ａに示す側面とは反対側の側面を示している。
【図８Ｄ】図８Ａのポンプシステムを示す背面図とされる。
【図９Ａ】図８Ａにおけるサテライトポンプを個別的に示す背面からの斜視図とされる。
【図９Ｂ】図９Ａのサテライトポンプを示す正面からの斜視図とされる。
【図１０】本発明によるポンプシステムの他の実施形態の使用状況を概略的に示す図とされる。
【図１１Ａ】本発明によるポンプシステムの他の実施形態を、コンテナの外壁を図示しないことによってコンテナ内部のポンプシステムの各構成部材を見せるようにして、示す平面図とされる。
【図１１Ｂ】図１１Ａのポンプシステムを示す背面図とされる。
【図１２】本発明によるポンプシステムの他の実施形態の使用状況を概略的に示す図とされる。
【図１３】本発明によるポンプシステムの他の実施形態の使用状況を概略的に示す図とされる。
【符号の説明】
【００７４】
１０  ポンプシステム
１５  コンテナ
４０  第１エンジン
５０  メインポンプ
６０  サテライト供給ポンプ
６８  第２エンジン
【図１Ａ】
2008505701.tif 000003
【図１Ｂ】
2008505701.tif 000004
【図１Ｃ】
2008505701.tif 000005
【図１Ｄ】
2008505701.tif 000006
【図１Ｅ】
2008505701.tif 000007
【図１Ｆ】
2008505701.tif 000008
【図２Ａ】
2008505701.tif 000009
【図２Ｂ】
2008505701.tif 000010
【図２Ｃ】
2008505701.tif 000011
【図２Ｄ】
2008505701.tif 000012
【図２Ｅ】
2008505701.tif 000013
【図２Ｆ】
2008505701.tif 000014
【図３Ａ】
2008505701.tif 000015
【図３Ｂ】
2008505701.tif 000016
【図３Ｃ】
2008505701.tif 000017
【図３Ｄ】
2008505701.tif 000018
【図４Ａ】
2008505701.tif 000019
【図４Ｂ】
2008505701.tif 000020
【図５】
2008505701.tif 000021
【図６】
2008505701.tif 000022
【図７Ａ】
2008505701.tif 000023
【図７Ｂ】
2008505701.tif 000024
【図７Ｃ】
2008505701.tif 000025
【図７Ｄ】
2008505701.tif 000026
【図７Ｅ】
2008505701.tif 000027
【図８Ａ】
2008505701.tif 000028
【図８Ｂ】
2008505701.tif 000029
【図８Ｃ】
2008505701.tif 000030
【図８Ｄ】
2008505701.tif 000031
【図９Ａ】
2008505701.tif 000032
【図９Ｂ】
2008505701.tif 000033
【図１０】
2008505701.tif 000034
【図１１Ａ】
2008505701.tif 000035
【図１１Ｂ】
2008505701.tif 000036
【図１２】
2008505701.tif 000037
【図１３】
2008505701.tif 000038
【国際調査報告】
2008505701.tif 000039
2008505701.tif 000040
2008505701.tif 000041